(57)【特許請求の範囲】
【請求項１】
ヘッドボックスとボトムボックスとの間でボトムレールを移動させることにより、ヘッドボックスとボトムレールとの間に支持されるスラットを移動させる天窓用ブラインドにおいて、
引き上げ用ワイヤーの両端をヘッドボックス内の巻取軸に巻着し、該引き上げ用ワイヤーの無端状の中間部をボトムレールに沿って掛装して、前記巻取軸で引き上げ用ワイヤーを巻き取ることにより、ボトムレールをヘッドボックスに向かって移動可能とし、引き下げ用ワイヤーの両端を前記巻取軸に前記引き上げ用ワイヤーとは逆方向に巻着し、該引き下げ用ワイヤーの無端状の中間部をボトムボックスを経て前記ボトムレールに向かって案内するとともに、該ボトムレールに沿って掛装して、前記巻取軸で引き下げ用ワイヤーを巻き取ることにより、ボトムレールをボトムボックスに向かって移動可能とし、
前記引き下げ用ワイヤーには、前記ボトムレール内において該引き下げ用ワイヤーを緊張させる調整装置を設け、前記ボトムレールを前記ボトムボックスに向けて最大限度まで移動させたときに生じる引き下げ用ワイヤーの弛みを該調整装置によって緊張させる一方で、
前記引き上げ用ワイヤーは、その両端を前記巻取軸に取着した固定リングに接続し、該固定リングは巻取軸に対し係脱可能として該巻取軸との係合を解除したとき、該巻取軸に対し回転可能として前記引き上げ用ワイヤーの最大巻き戻し量を調整可能としたことを特徴とする天窓用ブラインド。
【請求項２】
前記引き上げ用ワイヤー及び前記引き下げ用ワイヤーは、前記巻取軸の回転量に応じて巻き取り又は巻き戻しされる請求項１記載の天窓用ブラインド。
【請求項３】
前記引き下げ用ワイヤーは、その両端を前記巻取軸に取着した固定リングに接続し、該固定リングは巻取軸に対し係脱可能として該巻取軸との係合を解除したとき、該巻取軸に対し回転可能として前記引き下げ用ワイヤーの最大巻き戻し量を調整可能としたことを特徴とする請求項１乃至２のいずれかに記載の天窓用ブラインド。
【請求項４】
前記調整装置は、前記ワイヤーを緊張するように該ワイヤーの余剰部分をかしめるかしめ具で構成したことを特徴とする請求項１乃至３のいずれかに記載の天窓用ブラインド。
【請求項５】
前記調整装置は、前記ボトムレールの長手方向に移動可能に支持したスライド部材に巻取軸を回転可能に支持し、前記ワイヤーを緊張するように該ワイヤーの余剰部分を巻取軸で巻取り可能としたことを特徴とする請求項１乃至４記載のいずれかに記載の天窓用ブラインド。
【発明の詳細な説明】
【０００１】
【発明の属する技術分野】
この発明は、傾斜窓あるいは天窓等に設置される天窓用ブラインドの昇降装置に関するものである。
【０００２】
【従来の技術】
天窓用ブラインドは、スラット及びボトムレールを天窓に沿って昇降するために、通常の横型ブラインドとは異なるスラット昇降装置を備えている。
【０００３】
特公平８−３０３９３号公報に記載された天窓用ブラインドでは、ヘッドボックス内に配設された巻取軸で引き上げ用ワイヤーを巻き取ることにより、ボトムレールがヘッドボックスに向かって移動して、天窓が開放される。
【０００４】
また、同じくヘッドボックス内に配設された巻取軸で引き下げ用ワイヤーを巻き取ることにより、ボトムレールがヘッドボックスから遠ざかる方向に移動して、天窓面に沿ってスラットが引き出される。
【０００５】
特許２６６０６９６号公報に記載された天窓用ブラインドでは、手動操作により引き上げ用コードをヘッドボックスから引き出すことにより、ボトムレールがヘッドボックスに向かって移動して、天窓が開放される。
【０００６】
また、引き下げ用コードをヘッドボックスから引き出すことにより、ボトムレールがヘッドボックスから遠ざかる方向に移動して、天窓面に沿ってスラットが引き出される。
【０００７】
【発明が解決しようとする課題】
特公平８−３０３９３号公報に記載された天窓用ブラインドでは、ボトムレール及びスラットをヘッドボックスに対し平行に維持しながらスラットを移動させるためには、引き上げ用ワイヤー及び引き下げ用ワイヤーの長さを正確に調整してボトムレールに接続する必要がある。
【０００８】
従って、その作業が煩雑であるとともに、施工後の微調整も容易ではない。また、いずれかのワイヤーを交換する場合にも、他のワイヤーとの長さの調整が困難であるという問題点がある。
【０００９】
特許２６６０６９６号公報に記載された天窓用ブラインドでは、操作時にヘッドボックスから無端状に垂下される各コードを左右均等に引かないと、ボトムレール及びスラットが傾いて移動してしまう。従って、スラットの開閉操作が煩雑であるという問題点がある。
【００１０】
この発明の目的は、ボトムレール及びスラットをヘッドボックスに対し確実に平行に維持しながら容易に開閉操作可能とし、かつ組み立て及びメンテナンスを容易に行い得る天窓用ブラインドを提供することにある。
【００１１】
【課題を解決するための手段】
請求項１では、ヘッドボックスとボトムボックスとの間でボトムレールを移動させることにより、ヘッドボックスとボトムレールとの間に支持されるスラットを移動させる天窓用ブラインドにおいて、引き上げ用ワイヤーの両端をヘッドボックス内の巻取軸に巻着し、該引き上げ用ワイヤーの無端状の中間部をボトムレールに沿って掛装して、前記巻取軸で引き上げ用ワイヤーを巻き取ることにより、ボトムレールをヘッドボックスに向かって移動可能とし、引き下げ用ワイヤーの両端を前記巻取軸に前記引き上げ用ワイヤーとは逆方向に巻着し、該引き下げ用ワイヤーの無端状の中間部をボトムボックスを経て前記ボトムレールに向かって案内するとともに、該ボトムレールに沿って掛装して、前記巻取軸で引き下げ用ワイヤーを巻き取ることにより、ボトムレールをボトムボックスに向かって移動可能とした。
【００１２】
そして、前記引き下げ用ワイヤーには、前記ボトムレール内において該引き下げ用ワイヤーを緊張する調整装置を設け、前記ボトムレールを前記ボトムボックスに向けて最大限度まで移動させたときに生じる引き下げ用ワイヤーの弛み（余剰部分）を該調整装置によって緊張させる一方で、前記引き上げ用ワイヤーは、その両端を前記巻取軸に取着した固定リングに接続し、該固定リングは巻取軸に対し係脱可能として該巻取軸との係合を解除したとき、該巻取軸に対し回転可能として前記引き上げ用ワイヤーの最大巻き戻し量を調整可能とした。
請求項２では、前記引き上げ用ワイヤー及び前記引き下げ用ワイヤーは、前記巻取軸の回転量に応じて巻き取り又は巻き戻しされる。
【００１３】
請求項３では、前記引き下げ用ワイヤーは、その両端を前記巻取軸に取着した固定リングに接続し、該固定リングは巻取軸に対し係脱可能として該巻取軸との係合を解除したとき、該巻取軸に対し回転可能として前記引き下げ用ワイヤーの最大巻き戻し量を調整可能とした。
【００１４】
請求項４では、前記調整装置は、前記ワイヤーを緊張するように該ワイヤーの余剰部分をかしめるかしめ具で構成した。
請求項５では、前記調整装置は、前記ボトムレールの長手方向に移動可能に支持したスライド部材に巻取軸を回転可能に支持し、前記ワイヤーを緊張するように該ワイヤーの余剰部分を巻取軸で巻取り可能とした。
【００１５】
【発明の実施の形態】
以下、この発明を具体化した天窓用ブラインドの一実施の形態を図面に従って説明する。
【００１６】
図１に示すように、天窓用ブラインドはヘッドボックス１、サイドフレーム２及びボトムボックス３が天窓の窓枠等に固定される。
前記ヘッドボックス１とボトムボックス３との間には、少なくとも２本のテンションワイヤー４が多数枚のスラット５及びボトムレール６を貫通した状態で天窓面に沿って例えば水平方向に張設される。
【００１７】
前記各スラット５は、前記ヘッドボックス１内に配設されるラダーコード支持装置から吊下支持されるラダーコード７にそれぞれ支持され、同ラダーコード７の下端は前記ボトムレール６に取着されている。
【００１８】
前記ヘッドボックス１内には、巻取軸８が回転可能に支持され、その巻取軸８はヘッドボックス１内の一端に配設されるモータ９により正逆転可能に回転駆動される。前記モータ９は、操作装置（図示しない）の操作により動作する。また、巻取軸８の回転にともなって、ラダーコード支持装置及びラダーコード７を介して各スラット５が角度調節される。
【００１９】
前記巻取軸８の両端部には引き上げ用ワイヤー１０の端部が巻着され、その引き上げ用ワイヤー１０は前記ラダーコード７の近傍で各スラット５に貫通されている。
【００２０】
引き上げ用ワイヤー１０の引き回しを図３及び図４に従って説明すると、引き上げ用ワイヤー１０は、前記ボトムレール６内に挿通されるとともに、同ボトムレール６の両端部に設けられた滑車１１ａ，１１ｂに掛装されてヘッドボックス１に向かって案内される。
【００２１】
そして、各スラット５に挿通されるとともに、その両端部は前記巻取軸８の両端部において同巻取軸８に巻着されるとともに、同巻取軸８に固定される固定リング１２ａ，１２ｂに接続される。
【００２２】
従って、巻取軸８がスラット引き上げ方向に回転されると、引き上げワイヤー１０が巻取軸８に巻き取られて、ボトムレール６がヘッドボックス１に向かって移動する。
【００２３】
前記固定リング１２ａ，１２ｂは、ネジ１８ａにより巻取軸８に固定されている。そして、ネジ１８ａを緩めて、固定リング１２ａ，１２ｂを回転させることにより、引き上げ用ワイヤー１０の最大巻き戻し量を調整可能となっている。
【００２４】
前記引き上げ用ワイヤー１０間において、前記ヘッドボックス１とボトムボックス３及びボトムレール６間には引き下げ用ワイヤー１３が張設されている。
引き下げ用ワイヤー１３の引き回しを図３及び図４に従って説明すると、引き下げ用ワイヤー１３は、前記ボトムレール６内に挿通されるとともに、その中間部にワイヤーの長さを調整可能とした調整装置１４が介在されている。
【００２５】
前記引き下げ用ワイヤー１３は、ボトムレール６の両端部底面から滑車１１ｃ，１１ｄを介してボトムボックス３内に案内され、ボトムボックス３の背面に開口するコードゲート１５ａ，１５ｂを経て、各スラット５の背面をヘッドボックス１に向かって案内される。
【００２６】
そして、ヘッドボックス１の背面に開口するコードゲート１６ａ，１６ｂを経てヘッドボックス１内に案内され、同ヘッドボックス１内において前記巻取軸８に巻着され、両端が固定リング１７ａ，１７ｂに接続される。
【００２７】
前記固定リング１７ａ，１７ｂは、前記固定リング１２ａ，１２ｂと同様に、ネジ１８ｂにより巻取軸８に固定されている。そして、ネジ１８ｂを緩めて、固定リング１７ａ，１７ｂを回転させることにより、引き下げ用ワイヤー１３の最大巻き戻し量を調整可能となっている。
【００２８】
前記引き下げ用ワイヤー１３の巻取軸８への巻着方向は、前記引き上げ用ワイヤー１０とは逆方向であり、引き下げ用ワイヤー１３が巻き取られるとき、引き上げ用ワイヤー１０が巻き戻されるようになっている。
【００２９】
また、引き上げ用ワイヤー１０が巻き取られるとき、引き下げ用ワイヤー１３が巻き戻される。
前記調整装置１４は、図５に示すように、引き下げ用ワイヤー１３の弛みを吸収するようにかしめ具１９でかしめ固定する構成である。また、図６に示すように、スライド部材２０をボトムレール６に対しその長手方向にスライド可能に支持し、そのスライド部材２０に巻取軸としてネジ２１を回転可能に支持し、引き下げ用ワイヤー１３の弛みをそのネジ２１で巻き取る構成としてもよい。
【００３０】
次に、上記のように構成された天窓用ブラインドの動作を説明する。モータ９をスラット引き上げ方向に作動させると、引き上げ用ワイヤー１０が巻取軸８に巻き取られるとともに、引き下げ用ワイヤー１３が巻取軸８から巻き戻される。
【００３１】
すると、ボトムレール６がヘッドボックス１に向かって移動して、スラット５がヘッドボックス１に向かって畳み込まれる。
一方、モータ９をスラット引き下げ方向に作動させると、引き下げ用ワイヤー１３が巻取軸８に巻き取られるとともに、引き上げ用ワイヤー１０が巻取軸８から巻き戻される。
【００３２】
すると、ボトムレール６がボトムボックス３に向かって移動して、スラット５が引き出される。
上記のように構成された天窓用ブラインドでは、次に示す作用効果を得ることができる。
（１）引き上げ用ワイヤー１０は、巻取軸８とボトムレール６の滑車１１ａ，１１ｂとの間で無端状にかつ方形に張設される。従って、設置時に引き上げ用ワイヤー１０を緊張すれば、ヘッドボックス１に対しボトムレール６を常に平行に維持した状態でヘッドボックス１に向かって移動させることができる。
（２）引き下げ用ワイヤー１３は、巻取軸８とボトムボックス３のコードゲート１５ａ，１５ｂ及びボトムレール６の滑車１１ｃ，１１ｄとの間で無端状にかつ方形に張設される。従って、設置時に引き下げ用ワイヤー１３を緊張すれば、ヘッドボックス１に対しボトムレール６を常に平行に維持した状態でボトムボックス１に向かって移動させることができる。
（３）引き上げ用ワイヤー１０及び引き下げ用ワイヤー１３は巻取軸８に対しそれぞれ独立して取付けられる。従って、この天窓用ブラインドの組み立てを容易に行うことができるとともに、各ワイヤー１０，１３の交換及びその交換にともなうワイヤーの長さ調整を容易に行うことができる。
（４）出荷時に設定した引き下げ用ワイヤー１３の長さが、実際に天窓用ブラインドを設置する窓枠に対し長過ぎると、ボトムレール６をボトムボックス３に向かって最大限度まで移動させたとき、引き下げ用ワイヤー１３に弛みが生じる。このような場合にも、調整装置１４により、引き下げ用ワイヤー１３を容易にかつ最適に緊張することができる。
（５）出荷時に設定した引き上げ用ワイヤー１０の長さが、実際に天窓用ブラインドを設置する窓枠に対し長過ぎると、ボトムレール６をボトムボックス３に向かって最大限度まで移動させたとき、引き上げ用ワイヤー１０に弛みが生じる。このような場合にも、固定リング１２ａ，１２ｂの固定を解除して回転させ、巻取軸８に巻き取られている引き上げ用ワイヤー１０の巻取り量の初期値を変更することにより、引き下げ用ワイヤー１３を容易にかつ最適に緊張することができる。
（６）引き上げ用ワイヤー１０及び引き下げ用ワイヤー１３の長さを調整することが容易であるので、出荷時に引き上げ用ワイヤー１０及び引き下げ用ワイヤー１３の長さを長めに設定しておくことにより、天窓用ブラインドの仕様より実際の窓枠寸法の方がわずかに大きい場合にも容易に対応することができる。
【００３３】
上記実施の形態は、次に示すように変更することもできる。
・引き下げ用ワイヤー１３を接続する固定リング１７ａ，１７ｂは、引き上げ用ワイヤー１０を接続する固定リング１２ａ，１２ｂより、巻取軸８の端部側に位置させてもよい。この場合には、固定リング１２ａ，１２ｂ，１７ａ，１７ｂの位置の変更にともなって、滑車１１ａ〜１１ｄ及びコードゲート１５ａ，１５ｂ，１６ａ，１６ｂの位置を変更して、引き下げ用ワイヤー１３を方形に張設する必要がある。
・引き上げ用ワイヤー１０にも、調整装置１４を備えてもよい。
【００３４】
【発明の効果】
以上詳述したように、この発明はボトムレール及びスラットをヘッドボックスに対し確実に平行に維持しながら容易に開閉操作可能とし、かつ組み立て及びメンテナンスを容易に行い得る天窓用ブラインドを提供することができる。
【図面の簡単な説明】
【図１】  天窓用ブラインドを示す背面図である。
【図２】  天窓用ブラインドを示す側面図である。
【図３】  天窓用ブラインドを示す断面図である。
【図４】  ワイヤーの引き回しを示す説明図である。
【図５】  調整装置を示す概略図である。
【図６】  調整装置を示す概略図である。
【符号の説明】
１        ヘッドボックス
３        ボトムボックス
５        スラット
６        ボトムレール
８        巻取軸
１０        引き上げ用ワイヤー
１３        引き下げ用ワイヤー
【図１】
0003705421.tif 000002
【図２】
0003705421.tif 000003
【図３】
0003705421.tif 000004
【図４】
0003705421.tif 000005
【図５】
0003705421.tif 000006
【図６】
0003705421.tif 000007